(57)【要約】【課題】  Ｘ線ＣＴ装置とＰＥＴ装置とを組み合わせた複合装置において、ＰＥＴ装置を単独で使用する際のポジショニングを容易にすること。【解決手段】  被検体Ｐの所望の撮影位置Ｐｒに関連づけて、天板１２の初期位置をＸ線ＣＴ装置の架台３０に対して設定した後、ＰＥＴ  ＡＵＴＯスイッチを操作することにより、この設定された初期位置からＰＥＴ装置の架台１０の撮影可能領域１２まで、既知の距離Ｌだけ天板を移動させるようにした。  よって、ＰＥＴ装置を単独で使用する際の撮影開始位置の位置決めを容易に正確に行うことができる。【選択図】      図１
2006223573.tif 000002
【特許請求の範囲】
【請求項１】
撮影のための有効視野を共通にして、所定の位置関係を保って隣接するように配置された、被検体のＸ線断層像を得るＸ線ＣＴ装置の架台および被検体に投与された放射性医薬品から放射されるガンマ線を検出する核医学装置の架台と、
被検体を載置しこの被検体の所望の撮影位置を、前記Ｘ線ＣＴ装置の架台と前記核医学装置の架台との撮影領域中に位置づけるための寝台天板と、
この寝台天板と前記Ｘ線ＣＴ装置の架台および／または前記核医学装置の架台とを相対的に移動させる移動手段と
を備える放射線診断装置において、
前記被検体の所望の撮影位置を設定する位置設定手段と、
この位置設定手段によって設定された前記被検体の所望の撮影位置を、前記Ｘ線ＣＴ装置の架台または前記核医学装置の架台の撮影領域に選択的に対応させるポジショニング選択手段と
を具備することを特徴とする放射線診断装置。
【請求項２】
前記ポジショニング選択手段は、前記Ｘ線ＣＴ装置の架台の撮影領域に前記寝台天板を自動的にスライドさせるための第１のスイッチと、前記核医学装置の架台の撮影領域に前記寝台天板を自動的にスライドさせるための第２のスイッチとを有することを特徴とする請求項１に記載の放射線診断装置。
【請求項３】
前記核医学装置または前記Ｘ線ＣＴ装置の一方を単独で使用することを可能とする装置選択手段を備え、前記ポジショニング選択手段は、前記装置選択手段で選択されなかった方の装置の撮影領域に、前記被検体の所望の撮影位置を対応させないようにしたことを特徴とする請求項１または請求項２のいずれか１項に記載の放射線診断装置。
【請求項４】
前記Ｘ線ＣＴ装置と前記核医学装置との両方で、同一被検体を撮影する場合、前記被検体の撮影位置の少なくとも一部が共通であることを特徴とする請求項１に記載の放射線診断装置。
【発明の詳細な説明】
【技術分野】
【０００１】
本発明は、Ｘ線ＣＴ装置と核医学装置とを組み合わせて複合装置とした放射線診断装置に関する。
【背景技術】
【０００２】
医療用の放射線診断装置として、Ｘ線ＣＴ装置やポジトロンエミッションＣＴ装置（以下、ＰＥＴ装置と略称する。）、シングルホトン・エミッションＣＴ装置（以下、ＳＰＥＣＴ装置と略称する。）と称される核医学装置が従来から使用されている。
【０００３】
Ｘ線ＣＴ装置は、被検体の体外からＸ線を照射して組織や臓器によるＸ線透過率の差を検出器で測定することにより、その測定値を基に断層像を再構成するものであり、従って主に組織や臓器の形態的診断に供される。
【０００４】
一方、ＰＥＴ装置やＳＰＥＣＴ装置のような核医学装置は、放射線同位体またはその標識化合物（以下、放射性医薬品という。）が、生体の特定組織や臓器に選択的に取り込まれる性質を利用したものである。すなわち、被検体へ放射性医薬品を投与し、体内から放射されるガンマ線を体外で測定することにより、放射線同位体の線量分布を画像化するとともに、それが特定の組織や臓器に蓄積されることから、組織や臓器の生理学的な機能および生化学的物質代謝機能の診断が可能となっている。
【０００５】
これらＸ線ＣＴ装置や核医学装置は、その動作原理や診断形態が異なることから、従来は別の医療用診断装置として実用に供されていた。しかし近時、医療の高度化が進み総合的な診断の必要性が高まるにつれ、両者を組み合わせて複合装置を構成することによって、形態的な診断データと機能的な診断データとを統合して得ることにより、正確な診断を行えるようにした放射線診断装置が提供されるようになった（例えば、特許文献１参照。）。
【０００６】
ところで、Ｘ線ＣＴ装置や核医学装置を使用するに際しては、データを収集する被検体の位置（これを撮影位置と称する。）を、Ｘ線ＣＴ装置や核医学装置の架台の撮影可能領域に対して合わせる必要がある。通常、Ｘ線ＣＴ装置や核医学装置の架台には、被検体の置かれる中空部が形成されており、この中空部に撮影位置や撮影可能領域を示すためのレーザ投光器が設置されているので、このレーザ投光器からの光を被検体の所望の撮影位置に合わせることにより、両者の位置合わせすなわち、ポジショニングが行われる。
【０００７】
図３は、例えばＰＥＴ装置における撮影位置合わせの従来の方法を説明するために示したものであり、図中１０はＰＥＴ装置の架台、２０は寝台装置、２１は被検体Ｐを載置した寝台装置２０の天板である。また、ＰＥＴ装置の架台１０の中空部１１には撮影可能領域１２を示すための２つのレーザ投光器１３ａ、１３ｂが設けられており、このレーザ投光器１３ａ、１３ｂから中空部１１の中心線を横切るようにレーザ光が送出されるようになっている。そして、被検体Ｐは天板２１に寝かされた状態で架台１０の中空部１１に挿入されるものであり、所望の撮影範囲Ｐｒが被検体Ｐの体表に表示されている。
【０００８】
そこで、図３（ａ）の状態から図３（ｂ）の状態になるように、架台１０または寝台装置２０を相対的に移動させて、架台１０のレーザ投光器１３ａ、１３ｂからのレーザ光で表示される撮影可能領域１２に被検体Ｐの撮影範囲Ｐｒを合わせることにより、両者のポジショニングが完了する。この架台１０のレーザ投光器１３ａ、１３ｂによって表示される撮影可能領域１２に被検体Ｐの撮影範囲Ｐｒが適合したかどうかは、操作者が架台１０の外から中空部１１を覗き込むことによって目視で確認することができる。なお、撮影範囲Ｐｒを合わせるのではなく、撮影個所または撮影開始位置を合わせるようにしても良く、その場合も同様である。
【０００９】
なおここでは、ＰＥＴ装置における撮影位置合わせの従来の方法を説明したが、Ｘ線ＣＴ装置における撮影位置合わせも同様にして行われる。
【特許文献１】特開平９−５４４１号公報
【発明の開示】
【発明が解決しようとする課題】
【００１０】
ところで、Ｘ線ＣＴ装置とＰＥＴ装置とを組み合わせて複合化した放射線診断装置では、例えばＰＥＴ装置のみを単独で使用しようとする場合に、従来の位置合わせ手段では、撮影のポジショニングが極めて困難だった。
【００１１】
すなわち、図４は複合化された放射線診断装置１の概略を示した側面図であるが、ＰＥＴ装置の架台１０とＸ線ＣＴ装置の架台３０とは隣接配置されており、それぞれの中空部１１、３１に、寝台装置２０の天板２１に寝かされた状態で被検体Ｐが挿入される。このような複合化された放射線診断装置１において、例えばＰＥＴ装置のみを単独で使用しようとする場合、操作者がＰＥＴ装置の架台１０の中空部１１を覗き込もうとしても、Ｘ線ＣＴ装置の架台３０にかなりの幅があるため、その中空部３１が邪魔になって、レーザ投光器１３ａ、１３ｂによって表示されるＰＥＴ装置の撮影可能領域１２に、被検体Ｐの撮影範囲Ｐｒ（または、撮影開始位置）が合っているかどうかを目視で確認することができなかった。
【００１２】
本発明は、このような問題を解決するためになされたものである。
【課題を解決するための手段】
【００１３】
上述の課題を解決するため、請求項１に記載の発明は、撮影のための有効視野を共通にして、所定の位置関係を保って隣接するように配置された、被検体のＸ線断層像を得るＸ線ＣＴ装置の架台および被検体に投与された放射性医薬品から放射されるガンマ線を検出する核医学装置の架台と、被検体を載置しこの被検体の所望の撮影位置を、前記Ｘ線ＣＴ装置の架台と前記核医学装置の架台との撮影領域中に位置づけるための寝台天板と、この寝台天板と前記Ｘ線ＣＴ装置の架台および／または前記核医学装置の架台とを相対的に移動させる移動手段とを備える放射線診断装置において、前記被検体の所望の撮影位置に関連づけて、前記寝台天板の初期位置を前記Ｘ線ＣＴ装置の架台または前記核医学装置の架台のいずれか一方に対して設定する初期位置設定手段と、この初期位置設定手段によって設定された前記被検体の所望の撮影位置を、前記Ｘ線ＣＴ装置の架台または前記核医学装置の架台の撮影領域に選択的に対応させるポジショニング選択手段とを具備することを特徴とする。
【００１４】
また、請求項２に記載の発明は、請求項１に記載の放射線診断装置において、前記ポジショニング選択手段は、前記Ｘ線ＣＴ装置の架台の撮影領域に前記寝台天板を自動的にスライドさせるための第１のスイッチと、前記核医学装置の架台の撮影領域に前記寝台天板を自動的にスライドさせるための第２のスイッチとを有することを特徴とする。
【００１５】
また、請求項３に記載の発明は、請求項１または請求項２のいずれか１項に記載の放射線診断装置において、前記核医学装置または前記Ｘ線ＣＴ装置の一方を単独で使用することを可能とする装置選択手段を備え、前記ポジショニング選択手段は、前記装置選択手段で選択されなかった方の装置の撮影領域に、前記被検体の所望の撮影位置を対応させないようにしたことを特徴とする。
【００１６】
また、請求項４に記載の発明は、請求項１に記載の放射線診断装置において、前記Ｘ線ＣＴ装置と前記核医学装置との両方で、同一被検体を撮影する場合、前記被検体の撮影位置の少なくとも一部が共通であることを特徴とする。
【発明の効果】
【００１７】
上記課題を解決するための手段の項にも示したとおり、本発明の特許請求の範囲に記載する各請求項の発明によれば、次のような効果を奏する。
【００１８】
請求項１に記載の発明によれば、Ｘ線ＣＴ装置または核医学装置のいずれか一方の架台に対して、被検体の所望の撮影位置に関連づけて、寝台天板の初期位置を設定しておけば、被検体の所望の撮影位置をＸ線ＣＴ装置または核医学装置のいずれの撮影領域にも容易に対応付けすることができる。よって、いずれか一方の装置を単独で使用する際の撮影開始位置の位置決めを容易に正確に行うことができる。また、いずれか一方の装置側に位置合わせ用のレーザ投光器を設ければよく、他方の装置へのレーザ投光器の設置を省略することができるので、製造工数の削減、コストの低減を図ることができる。
【００１９】
請求項２に記載の発明によれば、選択したＸ線ＣＴ装置または核医学装置の撮影領域へ、前記被検体の所望の撮影位置を確実に対応させることができ、ポジショニング操作の間違いを防止できて、検査のスループットを向上することができる。
【００２０】
請求項３に記載の発明によれば、非稼動状態にある装置への被検体の誤ったボジショニングが防止でき、被検体の安全性を保持することができる。
【００２１】
請求項４に記載の発明によれば、被検体の同一断層面の形態的情報と機能的情報とを得ることができ、診断の高度化に寄与することができる。
【発明を実施するための最良の形態】
【００２２】
以下、本発明に係る放射線診断装置の一実施例について、図１および図２を参照して詳細に説明する。なおこれらの図において、図３、図４と同一部分には同一符号を附して示してある。
【００２３】
図１（ａ）、（ｂ）は、本発明に係る放射線診断装置の一実施例の外観を概略的に示した側面図である。
【００２４】
この図において、放射線診断装置全体を符号１で示しており、１０はＰＥＴ装置の架台、２０は寝台装置、２１は被検体Ｐを載置する寝台装置２０の天板、３０はＸ線ＣＴ装置の架台であって、両者は所定の位置関係を保って隣接するように配置され、かつ分離可能に連結されている。そして、ＰＥＴ装置の架台１０およびＸ線ＣＴ装置の架台３０にはそれぞれ中空部１１、３１が形成されており、両中空部１１、３１はその中心線を共通にして連通している。
【００２５】
また、ＰＥＴ装置の架台１０の中空部１１には撮影可能領域１２を示すための２つのレーザ投光器１３ａ、１３ｂが設けられており、このレーザ投光器１３ａ、１３ｂから中空部１１の中心線を横切るようにレーザ光が送出されるようになっている。なお、被検体Ｐは天板２１に寝かされた状態でＸ線ＣＴ装置の架台３０の中空部３１からＰＥＴ装置の架台１０の中空部１１に挿入されるものである。
【００２６】
Ｘ線ＣＴ装置の架台３０にはその中空部３１の手前側に、Ｘ線ＣＴ装置側の位置決めのためのレーザ投光器３３が設けられている。このレーザ投光器３３からも中空部３１の中心線を横切るようにレーザ光が送出されるが、レーザ投光器３３と架台３０内のＸ線照射位置との間の距離は決まっている。さらに、このレーザ投光器３３の位置とＰＥＴ装置の架台１０の中空部１１における撮影可能領域１２との間の距離も、ある値Ｌに固定されている。このように、放射線診断装置１を構成するＸ線ＣＴ装置とＰＥＴ装置とは、撮影のための有効視野を共通にしている。
【００２７】
図２は、Ｘ線ＣＴ装置の架台３０の表面に設けられた操作パネル４０の要部を示したものである。この操作パネル４０は、Ｘ線ＣＴ装置の架台３０の、被検体Ｐが挿入される中空部３１に向って例えば左側に設けられており、主に被検体Ｐを所定の撮影領域（すなわち、Ｘ線照射位置。）に導くために、天板２１の進退動を操作するための各種スイッチ類を備えている。なお操作パネル４０は、必ずしもＸ線ＣＴ装置の架台３０に固定されている必要は無く、有線または無線によるリモートコントロール可能なものであってもよい。
【００２８】
なお、図２において、ＩＮは天板２１をＸ線ＣＴ装置の架台３０方向へ進入させるためのスイッチ、ＯＵＴは天板２１をＸ線ＣＴ装置の架台３０から退避させる方向へスライドさせるためのスイッチ、ＦＡＳＴはＩＮスイッチまたはＯＵＴスイッチと同時に押すことによって、ＩＮ方向、ＯＵＴ方向への天板２１のスライド速度を高めるためのスイッチ、ＦＲＥＥは天板２１を手動でスライドさせるようにするためのスイッチである。
【００２９】
また、ＳＬＩＣＥは天板２１上の被検体Ｐにレーザ投光器３３からの光によって設定した撮影位置を、架台３０内のＸ線照射位置に一致させるように、天板２１を自動的にスライドさせるためのスイッチ、ＰＥＴ  ＡＵＴＯはＰＥＴ装置を単独で使用する場合に、天板２１上の被検体ＰにＸ線ＣＴ装置側のレーザ投光器３３からの光によって設定した撮影位置を、ＰＥＴ装置の架台１０内の撮影可能領域１２に一致させるように、天板２１を自動的にスライドさせるためのスイッチである。これら各スイッチの操作に基づく各種動作制御は、放射線診断装置１の図示しない制御装置によって行われる。
【００３０】
なお、本発明の放射線診断装置において、Ｘ線ＣＴ装置と核医学装置とは、それぞれ単独に使用することも可能である。そのため、単独使用の際にＸ線ＣＴ装置を使用するのか核医学装置を使用するのかを選択する装置選択スイッチや、必要に応じて結合されているＰＥＴ装置の架台１０とＸ線ＣＴ装置の架台３０との結合状態を解除するための結合解除スイッチなどが、放射線診断装置１の図示しない制御卓に設けられている。この制御卓は、通常ＰＥＴ装置の架台１０とＸ線ＣＴ装置の架台３０が設置されている放射線防護壁で囲まれたスキャン室とは別の操作室に設置されていて、操作者を放射線の被曝から防護している。
【００３１】
次に、このように構成された放射線診断装置におけるポジショニングのための動作について説明する。
【００３２】
先ず、放射線診断装置１をＸ線ＣＴ装置とＰＥＴ装置との複合装置として使用する場合には、図１（ａ）に示されているように、天板２１に載置されている被検体Ｐの所望の撮影位置Ｐｒに、Ｘ線ＣＴ装置の架台３０に設けられているレーザ投光器３３からの光が当るように、天板２１を適宜スライドさせる。このときＩＮスイッチを押して天板２１を駆動させても良いし、ＦＲＥＥスイッチを押して天板２１を手動でスライドさせることもできる。そして、被検体Ｐの所望の撮影位置Ｐｒにレーザ投光器３３からの光が当ったところで天板２１を停止させる。これでポジショニングのための初期設定が完了する。
【００３３】
次のステップとして、ＳＬＩＣＥスイッチを押す。レーザ投光器３３と架台３０内のＸ線照射位置との間の距離は決まっているので、ＳＬＩＣＥスイッチが押されると、その距離分だけ天板２１が自動的にスライドし、架台３０内のＸ線照射位置と被検体Ｐの所望の撮影位置Ｐｒとが一致するところで天板２１は一旦停止する。その後操作者は操作室に設置されている制御卓から所定の撮影指示を与えることにより、放射線診断装置１は所定のシーケンスに従って撮影を開始し、Ｘ線ＣＴ装置によるＸ線断層像の撮影が行われる。また、Ｘ線ＣＴ装置のレーザ投光器３３とＰＥＴ装置の架台１０内の撮影可能領域１２との間の距離Ｌも決まっているので、自ずから架台３０内のＸ線照射位置とＰＥＴ装置の架台１０内の撮影可能領域１２との間の距離も決まる。よって、天板２１が架台３０内のＸ線照射位置から所定距離だけ架台１０内へ進むと、被検体Ｐの所望の撮影位置Ｐｒが撮影可能領域１２に達するので、ここで引続き、被検体Ｐの同一スライス位置についてＰＥＴ装置での撮影が行われる。
【００３４】
一方、放射線診断装置１のＰＥＴ装置を単独に使用する場合もあり、この場合には次のようにして、ＰＥＴ装置の架台１０内の撮影可能領域１２に被検体Ｐの所望の撮影位置Ｐｒを一致させるように、天板２１を自動的にスライドさせる。なお、図１（ａ）に示されているように、被検体Ｐの所望の撮影位置ＰｒにＸ線ＣＴ装置のレーザ投光器３３からの光が当ったところで天板２１が停止して、位置決めのための初期設定が完了した状態にあるものとする。
【００３５】
すなわちこの場合は、ＰＥＴ  ＡＵＴＯスイッチを押す。このＰＥＴ  ＡＵＴＯスイッチが押されると、Ｘ線ＣＴ装置のレーザ投光器３３とＰＥＴ装置の架台１０内の撮影可能領域１２との間の距離Ｌが決まっていることから、その距離分だけ天板２１が自動的にスライドし、架台１０内の撮影可能領域１２に被検体Ｐの所望の撮影位置Ｐｒが達したところで天板２１は一旦停止する。この状態が図１（ｂ）に示されている。そして、所定のシーケンスに従って撮影が開始され、ＰＥＴ装置による撮影が行われる。このようにＰＥＴ装置専用にポジショニング用のスイッチがあるので、ポジショニング操作が容易であり操作の間違いも防止できるので、検査のスループットを向上することができる。
【００３６】
なお、ＳＬＩＣＥスイッチやＰＥＴ  ＡＵＴＯスイッチを押したときに、天板２１がスライドして被検体Ｐの所望の撮影位置Ｐｒを架台３０内のＸ線照射位置や架台１０内の撮影可能領域１２に一致させるものと説明したが、天板２１をスライドさせるのに代えて寝台装置２０またはＸ線ＣＴ装置の架台３０およびＰＥＴ装置の架台１０を移動させても、同様に位置決めができることは言うまでもない。図１（ｂ）において、矢印Ａは図１（ａ）の状態から寝台装置２０または天板２１を距離Ｌだけスライドさせたことを示し、矢印ＢはＰＥＴ装置の架台１０およびＸ線ＣＴ装置の架台３０を距離Ｌだけスライドさせたことを示したものである。
【００３７】
また、ポジショニングのための初期設定に、操作パネル４０に設けられている各種スイッチが使用されることを説明したが、これら操作パネル４０に設けられている各種スイッチ類と同様のスイッチ類は、操作室に設置されている図示しない制御卓に配置されていてもよい。さらにこのスイッチ類は、操作卓のモニタ上に表示されるタッチスイッチであってもよい。このように操作卓にボジショニングのための各種スイッチを設けておけば、スキャン室でのポジショニングのための初期設定を終えて操作室へ移動した操作者が、制御卓から撮影開始指示を与えたり、撮影プランを選択したりする一連の操作の中で、操作パネル４０からと同様のポジショニングが可能となる。例えば、ＰＥＴ装置を単独に使用するプランを選択したような場合、撮影プランの選択の後撮影開始ポジションまで被検体を移動させる操作が操作室に居ながら実施することができる。
【００３８】
以上詳述したように本発明によれば、Ｘ線ＣＴ装置またはＰＥＴ装置のいずれか一方の架台に対して、被検体の所望の撮影位置に関連づけて、寝台天板の初期位置を設定しておけば、被検体の所望の撮影位置をＸ線ＣＴ装置またはＰＥＴ装置のいずれの撮影領域にも容易に対応付けすることができる。よって、ＰＥＴ装置を単独で使用する際の撮影開始位置の位置決めを容易に正確に行うことができる。また、Ｘ線ＣＴ装置とＰＥＴ装置の架台の幅はかなり広いので、操作者が位置設定を確認するために両者の間を移動するのに煩わしさが伴っていたが、その煩わしさから解放される。さらに、Ｘ線ＣＴ装置側に位置合わせ用のレーザ投光器を設ければよく、ＰＥＴ装置側へのレーザ投光器の設置を省略することができるので、製造工数の削減、コストの低減を図ることができる。
【００３９】
なお、ＰＥＴ装置の架台１０とＸ線ＣＴ装置の架台３０との結合状態を解除して、ＰＥＴ装置の架台１０を退避位置へ移動させて、Ｘ線ＣＴ装置を単独で使用することもあるが、この場合は、万一ＰＥＴ  ＡＵＴＯスイッチを押したとしても天板２１がＰＥＴ装置の架台１０の撮影開始位置へ移動することがないように、制御回路が形成されている。よって、非稼動状態にある装置への被検体の誤ったボジショニングが防止でき、被検体の安全性を保持することができる。
【００４０】
また、上記実施例では、ＰＥＴ装置の架台１０とＸ線ＣＴ装置の架台３０とが隣接して配置されているものにおいて、Ｘ線ＣＴ装置の架台３０側に寝台装置２０が配置されているものとして説明したが、逆に、ＰＥＴ装置の架台１０側に寝台装置２０が配置されていても良いことは言うまでもない。ただしこの場合、ＰＥＴ装置の架台１０側に位置決めの初期設定のためのレーザ投光器を設置する必要がある。なお、Ｘ線ＣＴ装置と組み合わせた核医学装置をＰＥＴ装置として説明したが、ＰＥＴ装置に限るものではなく、ＳＰＥＣＴ装置であってもよい。
【図面の簡単な説明】
【００４１】
【図１】本発明に係る放射線診断装置の一実施例の外観を概略的に示した側面図である。
【図２】操作パネルの要部の一例を示した平面図である。
【図３】ＰＥＴ装置における従来の撮影位置合わせ方法を説明した説明図である。
【図４】従来の放射線診断装置の問題点を説明するために示した説明図である。
【符号の説明】
【００４２】
１  放射線診断装置
１０  ＰＥＴ装置の架台
１１  中空部
１２  撮影可能領域
２０  寝台装置
２１  天板
３０  Ｘ線ＣＴ装置の架台
３１  中空部
３３  レーザ投光器
４０  操作パネル
Ｐ  被検体
Ｐｒ  撮影位置  
【図１】
2006223573.tif 000003
【図２】
2006223573.tif 000004
【図３】
2006223573.tif 000005
【図４】
2006223573.tif 000006